(57)【要約】【課題】比較的安価な部品の利用を可能とすると共に、組み立てや調整などの製造工程を容易に行なえるようにする。【解決手段】導電材による筒状部材１４と、該筒状の内側に設ける、導電材による筒状乃至は円柱状の部材１３とを、いずれも軸心が、前記操作レバー軸２の軸心に一致するように配置する。又、これら外側の部材１４及び内側の部材１３の少なくとも一方が、揺動操作に伴って弾性変形する弾性部材によるものとする。レバー軸組１を揺動操作すると、可動子９によって内側コイルスプリング１３が外側コイルスプリング１４に接触する。該接触を、コネクタ１８側から検出し、揺動操作を検知する。【選択図】図２
2008000223.tif 000002
【特許請求の範囲】
【請求項１】
操作レバー軸の揺動操作可能な方向が、該操作レバー軸の軸周り全周方向に設定され、前記全周方向のいずれかの方向に操作レバー軸を揺動操作した場合にも、該操作状態を検出可能な操作状態検出手段を備えた遊戯機操作装置において、
該操作状態検出手段は、導電材による筒状の外部部材と、該筒状の内側に配置した導電材による筒状乃至は円柱状の内部部材とから構成され、これら外側部材及び内側部材の少なくとも一方が、前記操作レバー軸の揺動操作に伴って弾性変形する弾性部材から構成されると共に、該弾性変形に伴ったこれら外側部材及び内側部材の間の電気的接触を検出し、揺動操作がなされたことを検知するようにしたことを特徴とする遊戯機操作装置。
【請求項２】
請求項１に記載の遊戯機操作装置において、
前記外側部材及び前記内側部材が、いずれもコイルスプリングを用いたものであることを特徴とする遊戯機操作装置。
【請求項３】
請求項１に記載の遊戯機操作装置において、
前記外側部材及び前記内側部材の少なくとも一方が、前記軸方向に向く線材の一端を束ねた集合体を用いた弾性部材であることを特徴とする遊戯機操作装置。
【請求項４】
請求項１乃至３のいずれか１項に記載の遊戯機操作装置を備えたことを特徴とする遊戯機。
【発明の詳細な説明】
【技術分野】
【０００１】
本発明は、操作レバー軸の揺動操作可能な方向が、該操作レバー軸の軸周り全周方向に設定され、前記全周方向のいずれかの方向に操作レバー軸を揺動操作した場合にも、該操作状態を検出可能な操作状態検出手段を備えた遊戯機操作装置に係り、特に、比較的安価な部品の利用を可能とすると共に、組み立てや調整などの製造工程を容易に行なえるようにして、製造コストを低減し、又製造能率を向上することができる遊戯機操作装置、及びこれを備えた遊戯機に関する。
【背景技術】
【０００２】
特許文献１や特許文献２など、従来、パチンコやスロットマシンなどの遊戯機操作装置では、例えばスロットマシンのスタートレバーその他、操作レバーの揺動操作状態の検出手段として、光学式反射型センサを使用している。例えば、特許文献１ではその図９などに示されるように光学式反射型センサ５０、特許文献２ではその図４などに示されるように光センサ３４を該検出手段としている。
【０００３】
なお、特許文献３では、所定の基準位置に復帰するように操作レバー３０を付勢する付勢手段５０が、その図６などに示されるように、剛性の高い部位と剛性の低い部位とを有するようにしている。これによって、耐久性と操作性とを両立させるようにしている。
【０００４】
【特許文献１】特開２００３−２６５６７７
【特許文献２】特開２００１−６２５
【特許文献３】特開２００３−１０２８９９
【発明の開示】
【発明が解決しようとする課題】
【０００５】
しかしながら、前述のように光学式反射型センサを用いる場合、減衰した反射光を受光制御する技術的困難さ、反射面の仕上加工の難しさなどがあり、高価なものとなっていた。又、センサ基板が組み込まれているため、遊戯機に実装された際に、この基板に対して不正行為がなされる可能性があるとの問題点があった。
【０００６】
特許文献１においては、操作レバー３０の操作状態によって変化する、反射部３２２で反射された投光部５１からの光の状態を、光学式反射型センサ５０の受光部５２により検出するようにしているので、遊戯機操作装置の製造時には、該光の反射面を仕上げ加工したり、投光部５１や受光部５２を動作させながら該反射の光路を調整したりする必要がある。
【０００７】
又、特許文献２においては、操作レバーの操作頭部３５の操作状態によって動作する、被センサ部３７のスリット溝３８において、投光部と受光部との間の光の通過がなされるか検出するようにしているので、遊戯機操作装置の製造時には、該スリット溝３８の位置調整などが必要になる。
【０００８】
本発明は、前記従来の問題点を解決するべくなされたもので、比較的安価な部品の利用を可能とすると共に、組み立てや調整などの製造工程を容易に行なえるようにして、製造コストを低減し、又製造能率を向上することができる遊戯機操作装置及び遊戯機を提供することを課題とする。
【課題を解決するための手段】
【０００９】
本発明は、操作レバー軸の揺動操作可能な方向が、該操作レバー軸の軸周り全周方向に設定され、前記全周方向のいずれかの方向に操作レバー軸を揺動操作した場合にも、該操作状態を検出可能な操作状態検出手段を備えた遊戯機操作装置において、該操作状態検出手段は、導電材による筒状の外部部材と、該筒状の内側に配置した導電材による筒状乃至は円柱状の内部部材とから構成され、これら外側部材及び内側部材の少なくとも一方が、前記操作レバー軸の揺動操作に伴って弾性変形する弾性部材から構成されると共に、該弾性変形に伴ったこれら外側部材及び内側部材の間の電気的接触を検出し、揺動操作がなされたことを検知するようにしたことにより、前記課題を解決したものである。
【００１０】
又、前記遊戯機操作装置において、前記外側部材及び前記内側部材が、いずれもコイルスプリングを用いたものであることにより、前記課題を解決したものである。
【００１１】
あるいは、前記遊戯機操作装置において、前記外側部材及び前記内側部材の少なくとも一方が、前記軸方向に向く線材の一端を束ねた集合体を用いた弾性部材であることにより、前記課題を解決したものである。
【００１２】
本発明は、又、上記の遊戯機操作装置を備えた遊戯機を提供するものである。
【００１３】
以下、本発明の作用について、簡単に説明する。
【００１４】
本発明は、その軸周り全周方向に揺動操作可能な操作レバー軸の、操作状態を検出可能な操作状態検出手段として、導電材による筒状部材（外側部材）と、導電材による筒状乃至は円柱状の部材（内側部材）とを用いる。該外側部材の筒状で中空の内側に、該内側部材を配置するようにする。これら外側の部材及び内側の部材の少なくとも一方は、弾性変形する弾性部材によるものとする。
【００１５】
又、操作レバー軸を揺動操作した場合、いずれかの方向に操作しても、該揺動操作によって可動する部材、例えば操作レバー軸が接触して、上記の弾性変形がなされ、外側部材及び内側部材の間が接近していって、電気的に接触する。従って、これら外側部材及び内側部材の間の電気的接触を検出することで、揺動操作がなされたことを検知することができる。
【００１６】
これら外側部材及び内側部材は、後述する実施形態のように、安価なコイルスプリングを用いることができる。又、これら部材は、組み立てることで取付位置が定められるので、取り付け調整は通常不要になる。
【発明の効果】
【００１７】
上述のように、本発明によれば、比較的安価な部品の利用を可能とすると共に、組み立てや調整などの製造工程を容易に行なえるようにして、製造コストを低減し、又製造能率を向上することができる遊戯機操作装置及び遊戯機を提供することができる。
【発明を実施するための最良の形態】
【００１８】
以下、図を用いて本発明の実施の形態を詳細に説明する。
【００１９】
前述した特許文献１は、本発明の出願人により特許出願されたものである。本実施形態の遊戯機操作装置は、この特許文献１の実施形態において、操作レバー軸の揺動操作の検出に本発明を適用したものであり、その他の多くは、この特許文献１と同様になっている。例えば、この特許文献１では、弾性部材（その図９などの圧縮コイルばね４０）により付勢される操作レバー３０が、該付勢に抗して押し込み可能な構造とされ、これにより遊技者操作時の手への衝撃を緩和するようにしているが、本実施形態の遊戯機操作装置もこのような構造を備えている。又、本実施形態において、本発明適用の遊戯機操作装置は、スタート操作装置７０として用いられている。該スタート操作装置７０以外、スロットマシン６０は従来周知のものである。
【００２０】
図１は、本実施形態のスロットマシン６０の概略構成をしめす正面図である。
【００２１】
図１に示すように、スロットマシン６０は、例えば、「７」、「チェリー」、「レモン」、「ＢＡＲ」等の複数種類のシンボルが外周面に表記された３つのリール６３を互いに並んだ状態に備えている。これらリール６３は、当該スロットマシン６０の前面パネル６２の上部に設けられた透視窓部６２ａを介して視認可能となっている。
【００２２】
スロットマシン６０で遊技を行うには、先ず、遊技者は金額に応じたコインＣを借りて、例えば１個から３個のコインＣを、前面パネル６２に配設されたコイン投入口６９に投入し、該投入個数に応じたシンボル列数を選択する。その後、スタート操作装置７０が備える操作部１ａの揺動操作を行うと、操作状態検出手段７５によって該操作が電気的接触として検出され、該検出の信号は入力部７２ａから入力され、これにより制御部７２は該操作を検知する。又、該検知がなされると制御部７２からの指令により、各々のリール６３に対応したモータ又は１つのモータ７４のクラッチ機構（図示略）が起動されてシンボルが下方に向かうようにリール６３が一斉に回転駆動される。
【００２３】
又、前面パネル６２には、リール６３の各々に対応するストップスイッチ６６ａ、６６ｂ、６６ｃが設けられており、遊技者がこれらを適宜操作することで、各リールに対応して設けられた電磁ソレノイド６５ａ、６５ｂ、６５ｃへの通電がドライバー６８を介して行われて各リール３が個別に停止される。又は、３個のモータを使用する場合には、個々のモータの停止制御を行うことで停止させる。
【００２４】
この結果、上記の各シンボルが横方向シンボル列６７ａ、６７ｂ、６７ｃ又は斜め方向シンボル列６７ｄ、６７ｅに停止することになるが、例えば、何れかのシンボル列に、同じ種類のシンボルが揃って停止した場合などは、このシンボルの種類に応じた個数の賞コインが排出口７７から前面パネル６２下部のコイン受皿７８に排出される。
【００２５】
制御部７２は、例えば、所謂１チップマイクロプロセッサを用いた回路構成が信頼性、自由度等の点で好ましいが、これに限定されずにハードウェア回路から構成することもできる。この制御部７２には、遊技状態に応じて効果音を出力するスピーカ７３が更に接続されている。
【００２６】
図２は、本実施形態の遊戯機操作装置（スタート操作装置）の要部構成を示す断面図である。
【００２７】
図２において、操作状態検出手段７５は、主に、本発明の内側部材である内側コイルスプリング１３、及び外側部材である外側コイルスプリング１４によって構成される。又、レバー軸２は、操作部１ａ、レバーストッパ４、又平座金７及び止め金８を介在させてバーチカルスリーブ６が固着され、これらは一体でレバー軸組１となっている。なお、レバー軸２は、該固着のレバーストッパ４及びバーチカルスリーブ６の間において、レバーベース３の内通孔３ｂを貫通している。
【００２８】
レバーばね５は、レバーストッパ４及びレバーベース内面３ｃの間に対して伸長する弾性力を作用させる。これによって、レバー軸組１は、揺動操作がなされない時、中立位置に戻される。又、該レバーばね５は、特許文献１の圧縮コイルばね４０に相当し、該特許文献１と同様レバー軸組１は付勢に抗して押し込み可能な構造とされ、これにより遊技者操作時の手への衝撃を緩和するようになっている。
【００２９】
更に、本実施形態では、レバー軸２の先端には、電気絶縁物である可動子９が接着や一体成型にて取り付けられている。この可動子９の先端は球状になっており、導電材である内側コイルスプリング１３の内側に入り込んでいる。
【００３０】
又、レバーベース３のねじ部３ａの外周には雄ねじが形成され、アウターケース１０のねじ部１０ａの内周には雌ねじが形成されている。該ねじ部３ａには、図２中右側から、ねじ部１０ａがねじ込みされ、レバーベース３及びアウターケース１０は一体となって固定される。
【００３１】
図３は、該図２における矢視となる、電極部の平面図である。図４は、該電極部の拡大図である。図５は、図２の電極部の拡大図である。
【００３２】
図４や図５に示すごとく、導電性の線材が巻かれた内側コイルスプリング１３、及び該内側コイルスプリング１３よりも大径で同じ線材が巻かれた外側コイルスプリング１４は、いずれも軸心が、揺動操作をしていないときのレバー軸組１（レバー軸２）の軸心に一致するように、電気絶縁体のキャップ１１上に配置されている。レバー軸組１の揺動操作を行なっていない状態では、これら内側コイルスプリング１３及び外側コイルスプリング１４は、非導通状態である。
【００３３】
図４や図５に示すごとく、キャップ１１に取り付けられる側の、内側コイルスプリング１３の線材の一端は、ねじ１２Ａに巻きつけられる形状とされ、該ねじ１２Ａによって、該形状部分が電極小１６及びキャップ１１に締め付けられる。該締め付けにより、内側コイルスプリング１３及び電極小１６は、電気的に導通状態になる。該電極小１６は、キャップ１１に形成される溝部１１２に埋め込まれるようにして、上記のねじ１２Ａがあるキャップ１１の中央から、外側コイルスプリング１４の外側へと導かれる。又、図４に示されるように、該外側の符号１６１において、該電極小１６はハーネス１７の１つの配線に半田付けなどで接続される。そして、該配線は内側コイルスプリング１３に導通となる。
【００３４】
なお、電極小１６が上述のように溝部１１２に埋め込まれるので、該電極小１６が、キャップ１１に接する該外側コイルスプリング１４の端部をくぐる際に、該電極小１６が外側コイルスプリング１４に接触することはない。
【００３５】
キャップ１１に取り付けられる側の、外側コイルスプリング１４の線材の一端は、２つのねじ１２Ｂに巻きつけられる形状とされ、該ねじ１２Ｂによって、該形状部分が電極大１５及びキャップ１１に締め付けられる。該締め付けにより、外側コイルスプリング１４及び電極大１５は、電気的に導通状態になる。該電極大１５はハーネス１７の、上記電極小１６とは別の１つの配線に半田付けなどで接続され、従って、該配線は外側コイルスプリング１４に導通となる。
【００３６】
そして、ハーネス１７は、キャップ１１の後述する図６に図示される切り欠き部１１２より外部に出されており、端部にはコネクタ１８が接続され、これらキャップ１１及びハーネス１７及びコネクタ１８の全体は図３に示すようになる。ハーネス１７を介在させて、内側コイルスプリング１３及び電極小１６は該コネクタ１８の１つの接点に、外側コイルスプリング１４及び電極大１５は該コネクタ１８の別の接点に接続されることになる。レバー軸組１が揺動操作されていない場合、これら接点間は電気的絶縁状態である。
【００３７】
ここで、上記の符号１３〜１６の材質は特に限定されるものではないが、弾性及び導電性を有するものであればよい。例えば、りん青銅などとしてもよい。
【００３８】
図６は、図２の右側側面図である。図７は、図６のＸ方向の断面図である。
【００３９】
アウターケース１０には、前述した図２において右側に、又図７では右上側に、電気絶縁物であるキャップ１１が、アウターケース爪１０１により固定されている。そして、図６に示すように、アウターケース爪１０１は、アウターケース１０において対向するように２つ設けられている。又、該アウターケース爪１０１は、図７に示すように、外側からキャップ１１を引っ掛け、これを固定する。
【００４０】
ここで、キャップ１１には、電気絶縁物で筒状（円筒状）のガイド部１１１が、図２において左方に向く面に、該筒状の中心が該面に対して鉛直となるように設けられている。該筒状の内径は、導電材である内側コイルスプリング１３の外径乃至は該外径より大とされ、ガイド部１１１の内側には内側コイルスプリング１３が電極小１６と共に止めねじ１２により固定されている。又、ガイド部１１１の筒状の外径は、導電材である外側コイルスプリング１４の内径乃至は該内径より小とされ、該ガイド部１１１の外側には外側コイルスプリング１４が電極大１５と共に止めねじ１２により同定されている。
【００４１】
ガイド部１１１などのこのような構造により、内側コイルスプリング１３及び外側コイルスプリング１４は上記のようにキャップ１１に組み付けるだけで、これらスプリング１３及び１４の間の電気的絶縁を保ちながら、内側コイルスプリング１３の外面と外側コイルスプリング１４の内面との間の、規定の隙間を正確に設定することができる。
【００４２】
なお、ガイド部１１１の筒状形状の高さは、該間隔を正確に維持するためには、内側コイルスプリング１３や外側コイルスプリング１４におけるコイル巻きの少なくとも１ピッチ以上である。又、該高さは、内側コイルスプリング１３の外面と外側コイルスプリング１４の内面との間の隙間以上である。又、レバー軸組１の揺動操作に伴って、内側コイルスプリング１３や外側コイルスプリング１４が弾性変形して適宜傾くためには、これら内側コイルスプリング１３や外側コイルスプリング１４の長さより短い必要がある。
【００４３】
ここで、内側コイルスプリング１３と外側コイルスプリング１４は、密着巻きのコイルの巻き方向が互いに逆方向となっており、互いの絡みつきを防止できる効果がある。遊技者がレバー軸組１を揺動操作すると、可動子９の接触によって内側コイルスプリング１３が傾けられて、該内側コイルスプリング１３のコイルピッチに隙間が生じる。又、このように傾く内側コイルスプリング１３の接触によって外側コイルスプリング１４が傾けられて、該外側コイルスプリング１４のコイルピッチに隙間が生じる。しかしながら、コイルの巻き方向が互いに逆方向となっているので、他方のコイルピッチの隙間にコイル線が挟み込まれるという、互いの絡みつきを防止することができる。
【００４４】
又、内側コイルスプリング１３と外側コイルスプリング１４は、夫々密着巻きである。従って、図１０のグラフに示すように、密着巻きコイルスプリングの特性として初期張力が付いている。図１０において、横軸がコイルスプリングに加える力であり、縦軸がコイルスプリングの弾性変形量である。初期張力があるため、ある程度の力が加えられてからコイルスプリングの変形が始まる特性となっている。本実施形態では該初期張力により、操作時、開放時の衝撃による振動を早く減衰することが出来、安定したスイッチ機能が得られる。
【００４５】
なお、図８は、図２の左側側面図である。この図において、レバー軸組１越しに、該レバー軸組１のレバー軸２が挿入されるレバーベース３が図示されている。
【００４６】
図９は、図２に対応する、本実施形態の操作時を示す断面図である。図２は、揺動操作がなされていない状態であるのに対して、この図９は、遊技者により揺動操作されており、該操作に伴ってレバー軸組１が傾けられ、又内側コイルスプリング１３や外側コイルスプリング１４が変形されている。
【００４７】
以下、本実施形態の作用について説明する。
【００４８】
まず、遊技者による揺動操作の非操作時には、レバー軸組１は、レバーばね５によって中立状態に保たれ、該レバー軸組１の先端の可動子９は内側コイルスプリング１３に非接触状態となる。又、内側コイルスプリング１３と外側コイルスプリング１４とは非接触状態であり、電気的に非導通となっている。
【００４９】
全周方向のいずれにも、レバーばね５の反発力に抗して、レバー軸組１の揺動操作を始め、該レバー軸組１を傾けるように操作すると、まず、可動子９が内側コイルスプリング１３の内面に接触し、該内側コイルスプリング１３が傾けられる。又、これによって、内側コイルスプリング１３の外面及び外側コイルスプリング１４の内面の間隔は狭められていく。
【００５０】
更にレバー軸組１を傾けるように揺動操作を加えていくと、内側コイルスプリング１３が更に傾き、又内側コイルスプリング１３の外面及び外側コイルスプリング１４の内面の間隔は更に狭められる。更に揺動操作を加えると、内側コイルスプリング１３の外面は、外側コイルスプリング１４の内面に接触するようになる。該接触は、ハーネス１７を介在させて、コネクタ１８の前述した２つの接点間の導通によって、該コネクタ１８が接続される例えば遊戯機制御装置側において検出することができる。
【００５１】
該接触の後、更に、レバー軸組１を傾けるように揺動操作を加えていくと、内側コイルスプリング１３の外面は、外側コイルスプリング１４の内面に接触したまま、これら内側コイルスプリング１３及び外側コイルスプリング１４の傾きは増加していく。そして、レバーストッパ４がアウターケース１０の内面に接すると、これ以上、レバー軸組１は傾かなくなる。
【００５２】
なお、遊技者が、レバー軸組１を揺動させずに押し込み操作した場合、可動子９は内側コイルスプリング１３に接触することがなく、又、内側コイルスプリング１３及び外側コイルスプリング１４は接触することがなく、従って、上記のようなコネクタ１８から電気的導通による揺動操作検出はされない。
【００５３】
従来、光学式反射型センサは、技術的に高度で難しく、高価で、更には、制御基板に不正行為される恐れがあるなどの問題点があった。しかしながら、本発明によれば、２重コイルスプリング接点方式など、単純な２つの部材の接点方式とすることができ、技術的に簡単で、安価に出来、更には不正行為ができないなどの効果が得られる。
【００５４】
内側コイルスプリング１３と外側コイルスプリング１４は、揺動操作方向が軸周り全周方向に操作可能なレバー軸組１の操作方向に完全に変形対応することができ、初めての遊技者でも簡単に操作ができ、疲労も少ないなどの従来の操作装置が持つ特性を、簡単に安く実現することができる。
【００５５】
又、キャップ１１のガイド部１１１は、内側コイルスプリング１３と外側コイルスプリング１４の隙間寸法を均等にすると共に、ばねの取付姿勢を平行に保持することができ、レバー軸組１のどの操作方向でも一定の動作タイミングでオン、オフが可能である。ガイド部１１１がないと隙間寸法のばらつきや取付姿勢の悪化が生じ、操作方向によって動作タイミングがずれ、遊技者に不安感を与えると言う問題が発生する。
【００５６】
又、内側コイルスプリング１３と外側コイルスプリング１４は、コイルの巻き方向が互いに逆方向となっており、互いの絡みつきによる誤動作を防止することができる。更に、内側コイルスプリング１３と外側コイルスプリング１４は夫々密着巻きであり、密着巻きコイルスプリングの特性として初期張力が付いているため、操作時、開放時の衝撃による振動を早く減衰させることが出来、チャタリングなどを起こさず、安定したスイッチ機能が得られる。
【００５７】
なお、機構上、レバー軸組１は、図２のような中立位置のとき、軸方向にもレバー軸組１端面部１ｂがレバーベース３の端面部３ｄに当たるまで押し込むことができるが、可動子９が内側コイルスプリング１３の中を軸方向に移動するたけで、検知動作とはならない。軸方向の操作は操作意志のない誤操作、他者の接触とみなし、遊戯機をスタートさせないと共に、外部からの衝撃を吸収できるので、遊技機の耐久性の向上につながる。
【００５８】
図１１は、内側コイルスプリング１３や外側コイルスプリング１４の変形例（他の実施形態）を示す斜視図である。
【００５９】
以上に説明した実施形態では、本発明の内側部材は内側コイルスプリング１３とされ、又本発明の外側部材は外側コイルスプリング１４とされ、これらは弾性体であるコイルスプリングとされている。しかしながら、これら内側部材や外側部材には、他の形態の弾性体をも用いることができる。図１１では、レバー軸２の軸方向に向く、多数の線材１９を束ねた集合体を、このような弾性体として用いている。この集合体では、キャップ１１に取り付ける側、即ち図１１では下方において、線材１９を束ねるようにしている。
【００６０】
線材１９の束ね方は特に限定されるものではない。線材１９が、本発明の外側部材や内側部材として用いられる筒状や円柱状の形状を維持できるよう、固定するものであればよい。例えば、図１１のように、中核部材２０の周囲に多数の線材１９を配置し、線材２１を巻きつけて結束することで、線材１９を例えば茶筅のような形状に束ねるようにしてもよい。あるいは、このような結束ではなく、中核部材２０の周囲に、多数の線材１９を接着して束ねるようにしてもよい。又、後述する図１６〜図１８のように、線材１９の集合体が、一端が連結されるように一体形成され、束ねられたものであってもよい。
【００６１】
又、個々の線材１９の形状についても、具体的に限定されるものではない。例えば、断面形状が図１１のような円形以外であってもよく、後述する図１７〜図１９のように矩形であってもよい。
【００６２】
図１１のようであっても、本発明を適用して、レバー軸組１の揺動操作を、コネクタ１８側において、内側部材及び外側部材の間の導通検出によって検知することができる。図１１の場合は、レバー軸組１が傾くと、その先端の可動子９は、内側部材に接触し、これによって該内側部材が傾いて外側部材に接触するようになる。
【００６３】
なお、以上に説明した実施形態において、内側コイルスプリング１３が本発明の内側部材に相当し、外側コイルスプリング１４が本発明の外側部材に相当する。ここで、これら内側部材及び外側部材は、共に弾性部材である必要はなく、少なくとも一方だけ弾性部材であればよい。
【００６４】
図１２〜図１５は、それぞれ、これら内側部材１３Ａ及び外側部材１４Ａに係る変形例を示す側面図である。
【００６５】
前述の実施形態では、図１２のように、内側部材１３Ａ及び外側部材１４Ａが同じ長さになっている。しかしながら、本発明はこのようなものに限定されものではない。例えば、図１３のように外側部材１４Ａを内側部材１３Ａより短くしたり、図１４や図１５のように内側部材１３Ａを外側部材１４Ａより短くしたりしてもよい。又、これらの短い方は、非弾性部材を用いるようにしてもよい。なお、図１２〜図１４は内側部材１３Ａが中空の筒状であるのに対して、図１５は内側部材１３Ａが中実の（中空ではない）円柱状となっている。
【００６６】
図１６は、本実施形態において本発明が適用されたスタート操作装置７０の第２例の要部を示す断面図である。図１７は、該タート操作装置７０の外側部材１４Ａの上面図である。図１８は、図１７の右方から見た側面図である。
【００６７】
図１６は、前述した図９に対応するものであり、遊技者による揺動操作を行っている状態になっている。この第２例では、第１例のスタート操作装置７０における外側コイルスプリング１４に代えて、図１７及び図１８に示されるような外側部材１４Ａが用いられている。
【図面の簡単な説明】
【００６８】
【図１】本発明が適用された実施形態のスロットマシンの概略構成を示す正面図
【図２】上記実施形態の遊戯機操作装置（スタート操作装置）の要部構成を示す断面図
【図３】上記図２における矢視となる、電極部の平面図
【図４】該電極部の拡大図
【図５】図２の電極部の拡大図
【図６】図２の右側側面図
【図７】図６のＸ方向の断面図
【図８】図２の左側側面図
【図９】図２に対応する、本実施形態の操作時を示す断面図
【図１０】密着巻きコイルスプリングの特性を示すグラフ
【図１１】内側コイルスプリング１３や外側コイルスプリング１４の変形例を示す斜視図
【図１２】本発明の内側部材及び外側部材の第１例を示す側面図
【図１３】本発明の内側部材及び外側部材の第２例を示す側面図
【図１４】本発明の内側部材及び外側部材の第３例を示す側面図
【図１５】本発明の内側部材及び外側部材の第４例を示す側面図
【図１６】前記実施形態において本発明が適用されたスタート操作装置の第２例の要部を示す断面図
【図１７】該スタート操作装置７０の外側部材１４Ａの上面図
【図１８】図１７の右方から見た側面図
【符号の説明】
【００６９】
１…レバー軸組
１ａ…操作部
２…レバー軸
３…レバーベース
４…レバーストッパ
５…レバーばね
６…バーチカルスリーブ
７…平座金
８…止め金
９…可動子
１０…アウターケース
１１…キャップ
１２…止めねじ
１３…内側コイルスプリング
１４…外側コイルスプリング
１５…電極大
１６…電極小
１７…ハーネス
１８…コネクタ
６０…スロットマシン
６２…前面パネル
７０…スタート操作装置
７５…操作状態検出手段
【図１】
2008000223.tif 000003
【図２】
2008000223.tif 000004
【図３】
2008000223.tif 000005
【図４】
2008000223.tif 000006
【図５】
2008000223.tif 000007
【図６】
2008000223.tif 000008
【図７】
2008000223.tif 000009
【図８】
2008000223.tif 000010
【図９】
2008000223.tif 000011
【図１０】
2008000223.tif 000012
【図１１】
2008000223.tif 000013
【図１２】
2008000223.tif 000014
【図１３】
2008000223.tif 000015
【図１４】
2008000223.tif 000016
【図１５】
2008000223.tif 000017
【図１６】
2008000223.tif 000018
【図１７】
2008000223.tif 000019
【図１８】
2008000223.tif 000020